(57)【要約】      （修正有）【課題】マルチメディアデータをデジタルデバイスに直接記録する方法及び装置を提供する。【解決手段】記録媒体に記録されているマルチメディアデータを感知する第１ステップと、マルチメディアデータと、マルチメディアデータが記録されるデジタルデバイスのホルダーとが表示されたユーザインターフェース画面をディスプレイする第２ステップと、マルチメディアデータをデジタルデバイスのホルダーに記録するための移動命令を入力される第３ステップと、マルチメディアデータをデジタルデバイスで再生できる形式に変換し、デジタルデバイスのホルダーに記録する第４ステップを経てマルチメディアデータをデジタルデバイスに直接記録する。【選択図】図２
2007048434.tif 000002
【特許請求の範囲】
【請求項１】
記録媒体に記録されているマルチメディアデータを感知する第１ステップと、
前記マルチメディアデータと、前記マルチメディアデータが記録されるデジタルデバイスのホルダーとが表示されたユーザインターフェース画面をディスプレイする第２ステップと、
前記マルチメディアデータを前記デジタルデバイスのホルダーに記録するための移動命令を入力される第３ステップと、
前記マルチメディアデータを前記デジタルデバイスで再生できる形式に変換し、前記デジタルデバイスのホルダーに記録する第４ステップと、を含むマルチメディアデータをデジタルデバイスに直接記録する方法。
【請求項２】
前記第１ステップは、感知部が前記記録媒体に記録されているマルチメディアデータを感知して情報受信部を駆動させる第１（ａ）ステップと、前記情報受信部がコンテンツＤＢサーバに接続して前記記録媒体に記録されているマルチメディアデータについての情報を受信する第１（ｂ）ステップと、前記受信されたマルチメディアデータの情報を変換記録部に伝送する第１（ｃ）ステップと、を含む請求項１に記載のマルチメディアデータをデジタルデバイスに直接記録する方法。
【請求項３】
前記第１（ｂ）ステップは、前記情報受信部が前記感知部から前記記録媒体のトラック情報を受信して前記コンテンツＤＢサーバに伝送し、前記トラックに該当するマルチメディアデータの前記コンテンツＤＢサーバでの存否を判断するステップと、前記判断結果、前記トラックに該当するマルチメディアデータが前記コンテンツＤＢサーバに存在する場合には、前記情報受信部が前記マルチメディアデータの情報を受信するステップと、を含む請求項２に記載のマルチメディアデータをデジタルデバイスに直接記録する方法。
【請求項４】
前記第３ステップの移動命令の入力は、マウスのドラッグアンドドロップにより行われる請求項１に記載のマルチメディアデータをデジタルデバイスに直接記録する方法。
【請求項５】
前記第４ステップは、前記変換記録部が前記情報受信部から伝送されたマルチメディアデータの情報を利用して前記デジタルデバイスで再生できる形式に変換し、前記デジタルデバイスのホルダーに記録するステップを含む請求項２に記載のマルチメディアデータをデジタルデバイスに直接記録する方法。
【請求項６】
前記第４ステップは、前記デジタルデバイスで再生できる形式に変換されたマルチメディアデータのタグ情報を前記デジタルデバイスのホルダーに共に記録するステップをさらに含む請求項５に記載のマルチメディアデータをデジタルデバイスに直接記録する方法。
【請求項７】
前記記録媒体は、ハードディスクドライブ、オーディオ及びビデオＣＤ、ＤＶＤ、ウェブハード、移動式記録媒体、有無線ネットワークを通じてマルチメディアデータを提供するコンテンツ提供サーバ以外に、前記デジタルデバイスで再生できる形式に変換される前のマルチメディアデータを保存している媒体である請求項１ないし６のうちいずれか１項に記載のマルチメディアデータをデジタルデバイスに直接記録する方法。
【請求項８】
記録媒体に記録されているマルチメディアデータを感知する感知部と、
前記マルチメディアデータと、前記マルチメディアデータが記録されるデジタルデバイスのホルダーとが表示されたユーザインターフェース画面をディスプレイするディスプレイ部と、
前記マルチメディアデータを前記デジタルデバイスのホルダーに記録するための移動命令を入力される入力部と、
前記マルチメディアデータを前記デジタルデバイスで再生できる形式に変換し、前記デジタルデバイスのホルダーに記録する変換記録部と、を備えるマルチメディアデータをデジタルデバイスに直接記録する装置。
【請求項９】
マルチメディアデータの情報を保存しているコンテンツＤＢサーバに接続して、前記記録媒体に記録されているマルチメディアデータの情報を受信する情報受信部をさらに備える請求項８に記載の装置。
【請求項１０】
前記情報受信部は、前記感知部から前記記録媒体のトラック情報を受信して前記コンテンツＤＢサーバに伝送することによって、前記トラックに該当するマルチメディアデータの前記コンテンツＤＢサーバでの存否を判断し、前記判断結果、前記マルチメディアデータが前記コンテンツＤＢサーバに存在する場合には前記マルチメディアデータの情報を受信する請求項９に記載の装置。
【請求項１１】
前記入力部は、マウスのドラッグアンドドロップにより移動命令を入力される請求項８に記載の装置。
【請求項１２】
前記変換記録部は、前記情報受信部から受信したマルチメディアデータの情報を利用して前記デジタルデバイスで再生できる形式に変換し、前記デジタルデバイスのホルダーに記録するステップを含む請求項９に記載のマルチメディアデータをデジタルデバイスに直接記録する装置。
【請求項１３】
前記変換記録部は、前記デジタルデバイスで再生できる形式に変換されたマルチメディアデータのタグ情報を前記デジタルデバイスのホルダーに共に記録するステップをさらに含む請求項９に記載のマルチメディアデータをデジタルデバイスに直接記録する装置。
【請求項１４】
前記記録媒体は、ハードディスクドライブ、オーディオ及びビデオＣＤ、ＤＶＤ、ウェブハード、移動式記録媒体、有無線ネットワークを通じてマルチメディアデータを提供するコンテンツ提供サーバ以外に、前記デジタルデバイスで再生できる形式に変換される前のマルチメディアデータを保存している媒体である請求項８ないし１３のうちいずれか１項に記載のマルチメディアデータをデジタルデバイスに直接記録する装置。
【請求項１５】
請求項１ないし請求項６のうちいずれか１項による方法を実行するためのコンピュータ可読プログラムを記録した記録媒体。
【発明の詳細な説明】
【技術分野】
【０００１】
本発明は、マルチメディアデータをデジタルデバイスに直接記録する方法及び装置に係り、より詳細には、記録媒体に記録されているマルチメディアデータを一回の動作でデジタルデバイスで再生できる形式に変換すると同時に、デジタルデバイスのホルダーにコピーまたは移動可能にするマルチメディアデータをデジタルデバイスに直接記録する方法及び装置に関する。
【背景技術】
【０００２】
デジタルデバイスの種類が益々増えてユーザが接する機会が増加するにつれて、どのようにすればさらに便利にユーザインターフェース（ＵＩ）を提供するかが問題となっている。一般的に、デジタルデバイスにマルチメディアデータを記録するためにはＰＣ（パーソナルコンピュータ）とインターフェースする過程が必要である。すなわち、ＵＳＢ（ユニバーサルシリアルバス）のような連結媒体を通じてＰＣに保存されているマルチメディアデータをデジタルデバイスにコピーまたは移動させる過程があって初めてマルチメディアデータの記録が可能である。例えば、オーディオＣＤ（コンパクトディスク）に保存されているオーディオデータをデジタルデバイスに記録するためには、まずオーディオデータをデジタルデバイスに記録できる形態のデータ（例えば、ｍｐ３やｗｍａなど）に変換してＰＣに保存せねばならない。ＰＣに保存された以後、ユーザの追加的なＵＩ操作によりデジタルデバイスに記録する。前記のように、オーディオＣＤに保存されているデータをデジタルデバイスに記録する過程を詳細に示すものが図１であるが、図１を参照して説明する。
【０００３】
図１は、従来技術によってオーディオＣＤに保存されたコンテンツをデジタルデバイスに記録する過程を示す図面である。
【０００４】
まず、オーディオデータが保存されているオーディオＣＤをＰＣに挿入した後（Ｓ１２）、リッピングプログラムのような変換プログラムを行って変換せねばならないトラックを選択し、ビットレート、保存ディレクトリの選択、ＣＤＤＢ（ＣＤ Ｄａｔａ Ｂａｓｅ）サーバの使用如何などユーザオプションを設定せねばならない（Ｓ１４）。そして、前記変換プログラムを利用して前記選択されたオーディオＣＤのトラックをデジタルデバイスで再生可能な形式（例えば、ｍｐ３形式やｗｍａ形式）のデータに変換した後、ローカルＰＣの保存ディレクトリに保存する（Ｓ１６）。ユーザはデジタルデバイスを、ＰＣにＵＳＢなどを利用して連結し、かつ探索器プログラムなどを行ってＰＣに連結されたデジタルデバイスに記録するデータファイルを選択する（Ｓ１８）。選択されたファイルを、ドラッグアンドドロップ過程によりデジタルデバイスに記録する（Ｓ２０）。
【０００５】
しかし、前記のように単純なオーディオＣＤデータをデジタルデバイスに移動させる場合にも複数のステップが要求され、ユーザの立場では追加的な操作が多く必要なために相当な不便なさを感じることがある。オーディオＣＤのリッピング過程でのユーザの選択オプション（保存ディレクトリ選択、ビットレート設定、ＣＤＤＢサーバの使用如何など）が多く、ＰＣ保存過程を経るためにリッピングされたファイルが保存されるＰＣのディレクトリを記憶できない場合には、いちいち検索を通じてファイルを探して初めてデジタルデバイスへの移動が可能である。すなわち、デジタルデバイスへのデータ移動過程が複数のステップからなっていて、ユーザの立場では追加的な操作が必要なために相当な不便さを感じるという問題が発生する。
【特許文献１】韓国公開特許第2002−061927号公報
【発明の開示】
【発明が解決しようとする課題】
【０００６】
本発明は、前記のような問題点を鑑みてなされたものであり、本発明が解決しようとする技術的課題は、ユーザの単純な操作（ドラッグアンドドロップ）により直観的にマルチメディアデータをデジタルデバイスに再生可能な形式のデータに変換すると同時に、直接記録できる方法及び装置を提供するところにある。
【０００７】
本発明の目的は、以上で言及した目的に制限されず、言及されていない他の目的は下の記載から当業者に明確に理解されうる。
【課題を解決するための手段】
【０００８】
前記目的を達成するための本発明の一実施形態によるマルチメディアデータをデジタルデバイスに直接記録する方法は、記録媒体に記録されているマルチメディアデータを感知する第１ステップと、前記マルチメディアデータと、前記マルチメディアデータが記録されるデジタルデバイスのホルダーとが表示されたＵＩ画面をディスプレイする第２ステップと、前記マルチメディアデータを前記デジタルデバイスのホルダーに記録するための移動命令を入力される第３ステップと、前記マルチメディアデータを前記デジタルデバイスで再生できる形式に変換し、前記デジタルデバイスのホルダーに記録する第４ステップを含む。
【０００９】
また、前記目的を達成するための本発明の一実施形態によるマルチメディアデータをデジタルデバイスに直接記録する装置は、記録媒体に記録されているマルチメディアデータを感知する感知部と、前記マルチメディアデータと、前記マルチメディアデータが記録されるデジタルデバイスのホルダーとが表示されたＵＩ画面をディスプレイするディスプレイ部と、前記マルチメディアデータを前記デジタルデバイスのホルダーに記録するための移動命令を入力される入力部と、前記マルチメディアデータを前記デジタルデバイスで再生できる形式に変換し、前記デジタルデバイスのホルダーに記録する変換記録部と、を備える。望ましくは、マルチメディアデータの情報を保存しているコンテンツＤＢサーバに接続して、前記記録媒体に記録されているマルチメディアデータの情報を受信する情報受信部をさらに備える。
【００１０】
その他の実施例の具体的な事項は詳細な説明及び図面に含まれている。
【発明の効果】
【００１１】
本発明の一実施形態によれば、ユーザの立場で一回の動作でデジタルデバイスへのマルチメディアファイルの記録が可能になり、デジタルデバイスで再生可能な形式にファイルを変換する場合に、基本的にオプションを設定する作業が不要になる。
【００１２】
また、本発明の一実施形態によれば、インターネットを通じたデジタルファイルのダウンロード作業でユーザの認証過程を経た後にＰＣにダウンロードすれば、ファイルが変換されると同時にデジタルデバイスに記録されるので操作が簡便になる。
【００１３】
本発明の 効果は、以上で言及した効果に制限されず、言及されていない他の効果は請求の範囲の記載から当業者に明確に理解されうる。
【発明を実施するための最良の形態】
【００１４】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。明細書全体に亙って同一な参照符号は同一な構成要素を示す。
【００１５】
以下、本発明の望ましい実施形態について添付された図面を参照してさらに詳細に説明する。
【００１６】
図２は 本発明の一実施形態によるマルチメディアデータをデジタルデバイスに直接記録する装置を示す図面である。
【００１７】
図２に示した本発明の一実施形態による装置１００は、感知部１１０、ディスプレイ部１２０、変換記録部１３０、情報受信部１４０及び入力部１５０を備え、コンテンツＤＢサーバ２００が情報受信部１４０と情報を送受信し、デジタルデバイス３００が、本発明の装置１００とＵＳＢなどの連結で接続されている。
【００１８】
感知部１１０は、記録媒体に記録されているマルチメディアデータを感知する役割を行うものであって、例えば、ユーザがオーディオＣＤに保存された曲をＭＰ３プレーヤに移そうとする場合にオーディオＣＤのトラックを選択して、マウスのドラッグアンドドロップによりＭＰ３プレーヤに位置させれば、オーディオＣＤのトラックをデジタルデバイス３００に記録するためのものであると認識して後述する情報受信部１４０を駆動させる役割を行う。
【００１９】
ディスプレイ部１２０は、マルチメディアデータと、前記マルチメディアデータを記録しようとするデジタルデバイス３００のホルダーとが表示されたＵＩ画面をディスプレイする役割を行うものであって、後述する変換記録部１３０との通信を通じて現在の進行状況に関する情報を受けてＵＩ画面にディスプレイする。
【００２０】
入力部１５０は、マルチメディアデータをデジタルデバイス３００のホルダーに記録するための移動命令を入力される役割を行う。このような入力命令は、マウスのドラッグアンドドロップにより行われることが望ましい。
【００２１】
変換記録部１３０は、前記感知されたマルチメディアデータを前記デジタルデバイスで再生できる形式に変換すると同時に、デジタルデバイス３００のホルダーに記録する役割を行う。また、デジタルデバイス３００のハードウェア仕様や、再生可能なライブラリーをチェックしてデジタルデバイス３００で再生可能な適当な形式のファイル形態に変換して記録する役割を行う。
【００２２】
情報受信部１４０は、オーディオＣＤのような記録媒体がＰＣに挿入されて感知部１１０によりマルチメディアデータが感知された場合、直ちにマルチメディアデータの情報を保存しているコンテンツＤＢサーバ２００に接続して、該当するマルチメディアデータの情報を検索して受信する役割を行う。具体的に説明すれば、情報受信部１４０は、感知部１１０から前記ＣＤのトラック情報を受信して前記コンテンツＤＢサーバ２００に伝送することによって、前記トラックに該当するマルチメディアデータの前記コンテンツＤＢサーバ２００での存否を判断し、前記判断結果、前記トラックに該当するマルチメディアデータが前記コンテンツＤＢサーバ２００に存在する場合には、前記マルチメディアデータの情報を受信して後述する変換記録部１３０にフォワーディングする。
【００２３】
一方、変換記録部１３０は、情報受信部１４０から受信したマルチメディアデータの情報を利用してデジタルデバイス３００で再生できる形式に変換すると同時に、デジタルデバイス３００のホルダーに記録する。また、変換記録部１３０は、デジタルデバイス３００で再生できる形式に変換されたマルチメディアデータのタグ情報をデジタルデバイス３００のホルダーに共に記録する役割を行うが、例えば、ＩＤ３Ｔａｇ Ｖ１、ＩＤ３Ｔａｇ Ｖ２のようなタグ情報を共に記録する。
【００２４】
一方、本発明の装置で記録媒体とは、ハードディスクドライブ（ＨＤＤ）、オーディオ及びビデオＣＤ、ＤＶＤ（デジタルバーサタイルディスク）、ウェブハード、移動式記録媒体、有無線ネットワークを通じてマルチメディアデータを提供するコンテンツ提供サーバ以外に前記デジタルデバイスで再生できる形式に変換される前のマルチメディアデータを保存している媒体を意味する。したがって、ＣＤに保存されているコンテンツをデジタルデバイス３００に記録する場合だけでなく、インターネットを通じてマルチメディアファイルを直接デジタルデバイス３００にダウンロードせねばならない場合にも本発明が適用できる。
【００２５】
なお、マルチメディアデータをデジタルデバイスに直接記録する方法のフローを図３ないし図５を参照して説明する。
【００２６】
図３は 本発明の一実施形態によるマルチメディアデータをデジタルデバイスに直接記録する方法のフローを示す図面である。図４は 本発明の一実施形態によるマルチメディアデータとデジタルデバイスのホルダーとが表示されたＵＩ画面をディスプレイする図面である。そして、図５は 本発明の一実施形態によるマルチメディアデータをデジタルデバイスで再生できる形式に変換しつつ、デジタルデバイスのホルダーに記録するＵＩ画面をディスプレイする図面である。
【００２７】
まず、記録媒体に記録されているマルチメディアデータを感知するステップであるが、具体的には、感知部１１０が前記記録媒体に記録されているマルチメディアデータを感知した後に情報受信部１４０を駆動させる（Ｓ１０２）。駆動された情報受信部１４０がコンテンツＤＢサーバ２００に接続した後（Ｓ１０４）、感知部１１０から前記記録媒体のトラック情報を受信して前記コンテンツＤＢサーバ２００に伝送する（Ｓ１０６）。そして、前記トラックに該当するマルチメディアデータのコンテンツＤＢサーバ２００での存否を判断する（Ｓ１０８）。
【００２８】
前記判断結果、前記トラックに該当するマルチメディアデータがコンテンツＤＢサーバ２００に存在する場合には、前記マルチメディアデータの情報を受信し（Ｓ１１０）、存在していない場合には、またＳ１０６の過程に戻る。そして、前記受信されたマルチメディアデータの情報を変換記録部１３０に伝送する（Ｓ１１２）。
【００２９】
一方、ディスプレイ部１２０は、前記マルチメディアデータと、前記マルチメディアデータを記録しようとするデジタルデバイス３００のホルダーとが表示されたＵＩ画面をディスプレイするが（Ｓ１１４）、このようなＵＩ画面は、感知部１１０が記録媒体に記録されているマルチメディアデータを感知した後からディスプレイされるものである。このようなディスプレイ画面を表したものが図４に示されているが、デジタルデバイス３００が本発明の装置１００と有無線などを通じて接続されれば、図４の左側領域に該当ホルダーが表示されるが、実施形態としてオーディオＣＤに保存されたコンテンツをＭＰ３プレーヤに記録することを示す画面である。図４の左側領域を見れば、“ミュージックライブラリー”というディレクトリに“Ｍｙ ＭＰ３ Ｐｌａｙｅｒ”、“ＭＹ ＰＣ”、“Ｍｕｓｉｃ Ｓｔｏｒｅ”、“Ｍｙ Ａｕｄｉｏ−ＣＤ”などのホルダーが表示されており、右側領域には“ＭｙＡｕｄｉｏ−ＣＤ”内のオーディオファイル情報が表示されている。このような情報は、情報受信部１４０がコンテンツＤＢサーバ２００に接続して感知部１１０から受信したオーディオＣＤのトラック情報を伝送し、該当トラックに該当するマルチメディアデータがコンテンツＤＢサーバ２００に存在する場合に受信されたマルチメディアデータ情報がディスプレイされた結果である。
【００３０】
ユーザは、図４の右側領域に表示されたマルチメディアデータファイルを左側領域のデジタルデバイスのホルダーに記録するために、移動命令を入力部１５０に入力する（Ｓ１１６）。すなわち、右側にディスプレイされたファイルを左側の“Ｍｙ ＭＰ３ Ｐｌａｙｅｒ”ホルダーに記録するために、ドラッグアンドドロップの動作を行う。ここで記録の意味は、マルチメディアデータファイルのコピーまたは移動を意味する。
【００３１】
最後のステップであって、前記感知されたマルチメディアデータをデジタルデバイス３００で再生できる形式に変換してデジタルデバイス３００のホルダーに記録するステップであるが、望ましくは、変換記録部１３０が、情報受信部１４０から伝送されたマルチメディアデータの情報を利用してデジタルデバイス３００で再生できる形式に変換すると同時に、デジタルデバイス３００のホルダーに記録する（Ｓ１１８）。この時、マルチメディアデータがデジタルデバイスで再生される形式（例えば、ｍｐ３、ｗｍａ形式）によるタグ情報をデジタルデバイス３００のホルダーに共に記録する。
【００３２】
このような過程をディスプレイする画面が図５の画面であるが、ユーザのドラッグアンドドロップ動作により選択されたオーディオファイルを左側の“Ｍｙ ＭＰ３ Ｐｌａｙｅｒ”ホルダーに記録すれば、ＭＰ３プレーヤで再生できるｍｐ３ファイル形式に変換されると同時に、“Ｍｙ ＭＰ３ Ｐｌａｙｅｒ”ホルダーに記録されることである。図５に示すように、オーディオＣＤに保存されたコンテンツファイルのうちＡ歌手のａタイトルを持つ音楽ファイルが選択されてｍｐ３ファイルに変換される過程が画面中間の窓に表示されている。特に、このような過程を行うプログラムをリッピングプログラムというが、リッピングとは、デジタル形式の音声データをコンピュータで処理できるファイル形式に変換する作業を意味するが、音楽ＣＤなどに記録されているデジタル形式の音声データを抽出してコンピュータで処理できるファイル形式に変換して保存することである。この時、データを抽出して変換するために使われるツールを、リッピングソフトウェア、リッピングツールまたはリッパーという。
【００３３】
一方、本発明で前記記録媒体の範囲は、前述したようにＨＤＤ、オーディオ及びビデオＣＤ、ＤＶＤ、ウェブハード、移動式記録媒体、有無線ネットワークを通じてマルチメディアデータを提供するコンテンツ提供サーバ以外に前記デジタルデバイスで再生できる形式に変換される前のマルチメディアデータを保存している媒体を意味する。
【００３４】
また、本発明のマルチメディアデータをデジタルデバイスに直接記録する方法に対するプログラムを記録した、コンピュータで読み取り可能な記録媒体にも本発明の権利範囲が及ぶことは言うまでもない。
【００３５】
以上、添付図を参照して本発明の実施例を説明したが、 本発明が属する技術分野で当業者ならば本発明がその技術的思想や必須特徴を外れない範囲内で
変形及び 置換、変形及び変更が可能なので他の具体的な形に実施されうるということが理解できるであろう。したがって、前述した実施例は全ての面で例示的なものであって、限定的なものではないと理解せねばならない。
【産業上の利用可能性】
【００３６】
本発明は、デジタルデバイスの関連技術分野に好適に用いられる。
【図面の簡単な説明】
【００３７】
【図１】従来技術によってオーディオＣＤに保存されたコンテンツをデジタルデバイスに記録する過程を示す図である。
【図２】本発明の一実施形態によるマルチメディアデータをデジタルデバイスに直接記録する装置を示す図である。
【図３】本発明の一実施形態によるマルチメディアデータをデジタルデバイスに直接記録する方法のフローを示す図である。
【図４】本発明の一実施形態によるマルチメディアデータとデジタルデバイスのホルダーとが表示されたＵＩ画面をディスプレイする図である。
【図５】本発明の一実施形態によるマルチメディアデータをデジタルデバイスで再生できる形式に変換しつつ、デジタルデバイスのホルダーに記録するＵＩ図をディスプレイする図面である。
【符号の説明】
【００３８】
１００      本発明の装置
１１０      感知部
１２０      ディスプレイ部
１３０      変換記録部
１４０      情報受信部
２００      コンテンツＤＢサーバ
３００      デジタルデバイス
【図１】
2007048434.tif 000003
【図２】
2007048434.tif 000004
【図３】
2007048434.tif 000005
【図４】
2007048434.tif 000006
【図５】
2007048434.tif 000007